(57)【特許請求の範囲】
【請求項１】
被検者の顔部或いは、その一部を固定する手段を備える眼科装置において、被検者の額が当接する額当てと、被検者の額を当接させた状態で前記額当てを上下に移動する移動手段と、を備えることを特徴とする眼科装置。
【請求項２】
請求項１の眼科装置は、さらに前記額当ての上下移動とは関係なく、上下移動及び固定が可能な被検者の顎を載せる顎載せ台を備えることを特徴とする眼科装置。
【請求項３】
被検者の顔部或いは、その一部を固定する手段を備える眼科装置において、被検者の額が当接する額当てと、被検者の顎が当接する顎当接部と、被検者の額を当接させた状態で前記額当て若しくは前記顎当接部の少なくとも一方を上下に移動する移動手段と開瞼状態を検出する検出手段とを備え、検出結果に基づいて前記移動手段を動作させることを特徴とする眼科装置。
【請求項４】
請求項３の眼科装置は、前記検出手段によって得られた情報を基に被検眼の開眼状態の適否を判定する判定手段を備え、該判定手段により開眼状態が不十分と判定されると、前記移動手段により前記額当て若しくは前記顎当接部の少なくとも一方を上下方向に移動することを特徴とする眼科装置。
【発明の詳細な説明】
【０００１】
【発明の属する技術分野】
本発明は、被検者の顔部或いはその一部を固定して被検眼の撮影や測定を行う眼科装置に関する。
【０００２】
【従来技術】
眼屈折力測定装置や非接触式眼圧計等の眼科装置は、一般に、被検者の額を当接させる額当てや顎を受ける顎受けが設けられた顔受け台を備えている。測定の際には、この顔受け台で被検者の顔を固定させることにより被検眼の固定を図るとともに、眼にまつげが掛かっていたり、開瞼（開眼）が十分でない被検眼に対しては、検者又は補助者が手で被検者の瞼を強制的に開く作業を行っていた。
【０００３】
【発明が解決しようとする課題】
しかしながら、検者自身が手で被検者の瞼を強制的に開かせながら装置の操作を行う事は、検者にとって煩わしく操作に集中できない。検者自身が行わない場合には、補助者を必要とすることは都合が悪い。
【０００４】
また、被検者にとっても他人の手により瞼を強制的に開かれることは、恐怖心を与え、逆に瞼を閉じようとする方向に力が働いてしまう傾向がある。
【０００５】
本発明は上記問題点を鑑み、補助者を必要とせず、また検者も装置の操作をしながらの開眼作業の煩わしさを無くして、検者が操作に集中でき、且つ被検者にも恐怖感を与えることなく、被検者の瞼を開けさせる事のできる眼科用顔受け台を提供する事を技術課題とする。
【０００６】
【課題を解決するための手段】
上記課題を解決するために、本発明は以下のような構成を備えることを特徴とする。
【０００７】
（１）  被検者の顔部或いは、その一部を固定する手段を備える眼科装置において、被検者の額が当接する額当てと、被検者の額を当接させた状態で前記額当てを上下に移動する移動手段と、を備えることを特徴とする。
【０００８】
（２）  （１）の眼科装置は、さらに前記額当ての上下移動とは関係なく、上下移動及び固定が可能な被検者の顎を載せる顎載せ台を備えることを特徴とする。
【００１１】
（３）  被検者の顔部或いは、その一部を固定する手段を備える眼科装置において、被検者の額が当接する額当てと、被検者の顎が当接する顎当接部と、被検者の額を当接させた状態で前記額当て若しくは前記顎当接部の少なくとも一方を上下に移動する移動手段と開瞼状態を検出する検出手段とを備え、検出結果に基づいて前記移動手段を動作させることを特徴とする。
【００１２】
（４） （３）の眼科装置は、前記検出手段によって得られた情報を基に被検眼の開眼状態の適否を判定する判定手段を備え、該判定手段により開眼状態が不十分と判定されると、前記移動手段により前記額当て若しくは前記顎当接部の少なくとも一方を上下方向に移動することを特徴とする。
【００１３】
【発明の形態の実施】
以下、本発明の一実施例を図面に基づいて説明する。図１は本発明に係る眼屈折力測定装置等の据置き型眼科装置の側面図を示したものである。１は光学系等が収蔵される眼科装置本体であり、眼科装置本体１はジョイスティック２等を操作することにより基台３上を移動する。４は被検者５の被検眼の位置を固定するための顔受け台である。なお、眼科装置本体１については本発明と関係が薄いので、その説明は省略する。
【００１４】
図２は顔受け台４を被検者５側から見た図である。６は基台３に固設された固定台支基であり、その上部にはＵ字形の支柱受け６ａが設けられている。７は逆Ｕ字形状の額当て支柱であり、その２本の支柱は上下に移動可能に支柱受け６ａに差し込まれて支持されている。８は支柱７を上下動させるための回転ノブである。９は支柱７に架設された額当てであり、額当て９の被検者側には、滑りにくくするために摩擦係数の高い材質（例えば樹脂、ゴム、スポンジ等）を使用した当接部９ａが取り付けられている。また、額当て９若しくは当接部９ａは取り替えることができるようにしておき、被検者毎又は当接部９ａが滑りやすくなってきたら取り替えるようにしても良い。
【００１５】
１０は被検者の顎を載せるための顎載せ台であり、支柱受け６ａのサイドに設けられた回転ノブ１１を回す事により、固定台支基６に対して上下動する機構になっている。
【００１６】
図３は額当て支柱７を上下動させる機構を説明するための、図２のＡ−Ａ断面を示す概略図である。図に示すように、額当て支柱７には送りネジ部７ａが形成されており、対する回転ノブ８の内側には送りネジ部７ａに螺合する雌ネジ部８ａが形成されている。回転ノブ８の内部と支柱受け６ａの間には、断面Ｔ字状のネジ止め１４が配されており、その突出した上部１４ａと支柱受け６ａの上端面との間にはネジ１２が入り込む隙間１５を確保するように、ネジ止め１４の下部がネジ１３によって支柱受け６ａに固定されている。回転ノブ８はネジ止め１４が固定された支柱受け６ａの上方向から挿入した後、ネジ１２を側面から差し込む。差し込まれたネジ１２はネジ止め１４の上部１４ａに規制されるため、回転ノブ８が支柱受け６ａから外れないようになる。また、隙間１５が確保されているため、回転ノブ８は自在に回転できる。
【００１７】
このような構成によって、回転ノブ８を回すことにより額当て支柱７を無段階的に上下に移動することができる。
【００１８】
次に、以上のような構成の装置についてその動作を説明する。検者は、被検者に額当て９に額（眉毛の上付近）を付けるよう指示する。また、被検者の姿勢が不自然（無理）な姿勢となっている場合には、眼科装置を設置してある図示なき架台や被検者の座っている椅子等を調節して無理な姿勢にならないようにする。次に、顎載せ１０が被検者の顎に来るように回転ノブ１１を回してその高さを調節し、被検者の顎をしっかりと顎載せ１０に当接するように指示する。
【００１９】
このようにして被検者が無理な姿勢でなく、きちんと顔部が顎載せ１０と額当て９によって固定保持されている事を確認したら、被検者に眼を大きく開くように指示し、被検眼に対して装置本体１を移動してアライメントする。
【００２０】
このとき、被検者自身では開眼が十分に行えず、図４ａのように測定領域にまつげが掛かっていたり、瞼の開き加減が足りないことがある。このような時には、検者は被検者にしっかりと額当て９に額を付けるように指示し、支柱７が上方へ送り出される方向へ回転ノブ８を回す。回転ネジ８を回すと前述の機構により支柱７が上方に送り出され、額当て９も上方へ移動する。額当て９と額との間には滑りにくい材質で構成されている当接部材９ａがあり、しっかりと額に当接されているため、額当て９が上がると被検者の額に当接している皮膚もいっしょに持ち上がることとなる。額周辺の皮膚が持ち上がると、被検眼周辺の皮膚も上方に引っ張られるため、図４ｂのように結果的に被検者が意識することなく瞼が開く事となる。
【００２１】
測定に対して被検眼の開眼を十分にすることができたら、ジョイスティック２等を操作し、被検眼に対する装置本体１のアライメントして測定を行う。
【００２２】
以上説明した実施例は種々の変容が可能である。例えば、額当てを動かすのではなく、顎載せ台が一定以上の力が加わると所定量沈み込むような機構を持たせる事により、前述した実施例と同様に瞼を開かせることができる。この機構の例を図５により説明する。図５は顎載せ台を被検者側から見たときの該略断面図を示す。
【００２３】
顎載せ台１００の下には支持軸１０１が固定されており、支持軸１０１は保持支柱１０２に挿通されいる。保持支柱１０２の内部には、支持軸１０１を常時上方向に付勢するバネ１０３が設けられている。なお、保持支柱１０２は、先の例と同様に回転ノブによって、顎載せ台１００と共に上下方向へ移動するようになっている。被検者の顎を顎載せ台１００に置き、上から下へ押さえつけるようにしながら一定以上の力が加わると、顎載せ台１００はバネ１０３のバネ力に抗して所定量（顎載せ台１００の底面が、保持支柱１０２の上面に接するまでの距離）だけ下方へ下がる。顎載せ台１００が下方に下がることで顔部全体が下がるが、額は固定された額当てに付いたままであるので、相対的に額の位置が上がることとなる。したがって先の例と同様に、額周辺の皮膚が上方に引っ張り上げられている状態となるため瞼が開くのである。この機構では検者が被検者の瞼を開けさせるための操作をする必要が無いので、さらに手間を省く事ができる。
【００２４】
また、額当てや顎載せ台の上下動を手動ではなく、電気的制御により駆動させると共に、瞼の開き具合を検出する検出機構等と組み合わせて自動的に開眼操作を行うことも可能である。この変容例を図６のブロック概略図を用いて説明する。
【００２５】
被検眼に対して装置本体１をアライメントすると、そのアライメント状態はアライメント検出部３１によって検出された後、制御部３０によってその適否が判断される。アライメント検出部３１は、被検眼角膜にアライメント指標を投影する指標投影系と角膜投影された指標を検出する検出系とを備える。アライメントが完了状態であるときには、制御部３０は開瞼状態検出部３２からの信号により、被検眼の開瞼状態の適否を判断する。開瞼状態検出部３２は、検査又は測定に必要な領域外の被検眼角膜上に検出用の指標を投影する指標光学系、角膜に投影された該指標像を検出する検出系を備え、検出系により指標像が検出されるか否かにより、被検眼の開瞼状態を適否が判断できる。被検眼の開瞼が不十分であると判断されると、制御部３０は額当て９（又は顎載せ台１０）を上下に移動する移動機構３３を駆動制御して、被検眼の開瞼が十分になるように額当て９（又は顎載せ台１０）を移動する。また、開瞼状態検出部３２の結果によって検者が額当て９（又は顎載せ台１０）を移動させても良い。なお、これらアライメント検出部３１及び開瞼状態検出部３２の構成は、例えば、本出願人による特開平９−１４９８８４記載のものを使用することができる。
【００２６】
また、額当てに圧力センサ等を設け、一定の圧力を上回ると自動的に額当てが上方に持ち上がるようにしても良い。
【００２７】
さらに、額当てを被検者の額の形状にぴったりと合わせるために、額当ての材質として形状記憶樹脂等を用いることによって額当てを個々の額にあった形状とする事ができ、更に効率よく瞼を開けさせる事ができる。
【００２８】
【発明の効果】
以上説明したように、本発明によれば、装置の操作をしながらの被検眼の開眼作業の煩わしさを無くして、検者は装置の操作に集中できる。また、被検者にも恐怖感を与えることなく瞼を開けさせることができる。
【図面の簡単な説明】
【図１】本発明を適用した眼屈折力測定装置等の据置き型眼科装置の側面図を示したものである。
【図２】図１の顔受け台を被検者側から見た図である。
【図３】支柱を上下動させる機構を説明するための概略断面図である。
【図４】額当てが上がる前と後での被検眼の様子である。
【図５】顎載せ台の概略断面図である。
【図６】本実施例の変容例を説明するためのブロック概略図である。
【符号の説明】
４  顔受け台
６  固定台支基
７  支柱
８  回転ノブ
９  額当て
１０  顎載せ台
１１  回転ノブ
【図１】
0003589566.tif 000002
【図２】
0003589566.tif 000003
【図３】
0003589566.tif 000004
【図４】
0003589566.tif 000005
【図５】
0003589566.tif 000006
【図６】
0003589566.tif 000007